(57)【特許請求の範囲】
【請求項１】
本体ケース（１）の一端に体毛処理ヘッド（２）が配置されており、
体毛処理ヘッド（２）に、せん断作用で体毛を切断するせん断部（１４）と、熱切断作用で体毛を切断する熱切断部（１５）とが設けてあり、
熱切断部（１５）が体毛処理ヘッド（２）のヘッドフレーム（１０）で、ヘッドフレーム（１０）から突出する第１位置と、第１位置よりヘッドフレーム（１０）に接近する第２位置とに位置変更可能に支持されており、
第１位置における熱切断部（１５）の位置が、せん断部（１４）の位置よりヘッドフレーム（１０）から離反させてあり、
熱切断部（１５）がヘッドフレーム（１０）で、第１位置と、第２位置と、第２位置よりヘッドフレーム（１０）に接近する第３位置とに位置変更可能に支持されており、
第３位置における熱切断部（１５）の位置が、せん断部（１４）の位置よりヘッドフレーム（１０）に接近させてあることを特徴とする体毛処理装置。
【請求項２】
熱切断部（１５）に、電熱によって体毛を熱切断する切断ユニット（３７）が設けられており、
熱切断部（１５）が第３位置に切換えられた状態において、切断ユニット（３７）への通電を遮断することを特徴とする請求項１に記載の体毛処理装置。
【請求項３】
熱切断部（１５）は、切断ユニット（３７）を備えた熱切断ヘッド（３６）を備えており、
熱切断ヘッド（３６）はヘッドフレーム（１０）で往復動自在に案内支持されて、ヘッドフレーム（１０）と熱切断ヘッド（３６）との間に配置したフロートばね（５１）でフロート支持してあることを特徴とする請求項２に記載の体毛処理装置。
【請求項４】
熱切断ヘッド（３６）がフロートばね（５１）の付勢力に抗してフロート限界位置まで変位された状態において、切断ユニット（３７）への通電を遮断することを特徴とする請求項３に記載の体毛処理装置。
【請求項５】
熱切断部（１５）は、ヘッドフレーム（１０）で第１位置と第３位置との間で位置変更可能に支持される熱切断ベース（３５）と、切断ユニット（３７）を備えた熱切断ヘッド（３６）とを備えており、
熱切断ヘッド（３６）は、熱切断ベース（３５）で往復動自在に案内支持されて、熱切断ベース（３５）と熱切断ヘッド（３６）との間に配置したフロートばね（５１）でフロート支持されており、
熱切断ヘッド（３６）が、第１位置と第２位置のそれぞれの切換え位置において、熱切断ベース（３５）に対して上下フロートできることを特徴とする請求項２に記載の体毛処理装置。
【請求項６】
体毛処理ヘッド（２）に、肌面へ向かって加圧空気を送給する送風ファン（１６）が設けてあることを特徴とする請求項１から５のいずれかひとつに記載の体毛処理装置。
【請求項７】
切断ユニット（３７）が、回転自在に支持される中心軸（５４）と、中心軸（５４）の周りに支持される１本の発熱線で構成した第１発熱体（５６）と、複数の発熱線で構成した第２発熱体（５７）とを含み、
切断ユニット（３７）を、その中心軸（５４）の回りに回転操作して、第１発熱体（５６）と、第２発熱体（５７）とのいずれかひとつを択一的に使用姿勢に切換え操作できることを特徴とする請求項３から６のいずれかひとつに記載の体毛処理装置。
【請求項８】
熱切断ヘッド（３６）の外面に体毛を梳き流す毛梳体（５０）が設けられ、熱切断ヘッド（３６）の内部に発熱体（５６）を備えた切断ユニット（３７）と、切断ユニット（３７）を回転駆動するモーター（７６）とが配置されており、
切断ユニット（３７）を回転駆動した状態で体毛を熱切断することを特徴とする請求項３から６のいずれかひとつに記載の体毛処理装置。
【発明の詳細な説明】
【技術分野】
【０００１】
本発明は、ひげ、髪あるいはむだ毛などの体毛を切断するための体毛処理装置に関する。本発明に係る体毛処理装置は、せん断作用によって体毛を切断するせん断部と、熱切断作用によって体毛を切断する熱切断部とを備えている。
【背景技術】
【０００２】
せん断部を備えた体毛処理装置の代表例として電気かみそりが周知であり、そこでは外刃と内刃のせん断作用によってひげを切断している。また、熱切断作用によって体毛を切断する体毛処理装置は、特許文献１に公知である。そこでは、一対の櫛歯の間にヒーターを配置し、櫛歯で捕捉された体毛をヒーターで熱切断できるようにしている。片方の櫛歯は本体ケースに対して着脱でき、その基端部にヒーターを含むヒーターカセットが装着してある。同様の熱切断部を備えている体毛処理装置は、特許文献２および特許文献３にも見ることができる。
【先行技術文献】
【特許文献】
【０００３】
【特許文献１】特開平１０−２３４４６２号公報（段落番号００１１、図５、図６）
【特許文献２】特開平０８−２８９８１４号公報（段落番号００３７、図３）
【特許文献３】特開平０６−１８１８１１号公報（段落番号００１０、図１）
【発明の概要】
【発明が解決しようとする課題】
【０００４】
特許文献１〜３の体毛処理装置は、主に脚や腕のむだ毛、あるいは髪の毛などの単毛を切断対象としており、そのため大量のひげを切断する用途には適さない。櫛歯で捕捉した長いひげの一群をヒーターで熱切断することは不可能ではないが、切断されたひげの長さを一定以下に短くすることはできないからである。一方、電気かみそりに代表される体毛処理装置は、大量のひげを肌面の近くまで効果的に切断できるものの、むだ毛のように数センチメートルを越える長いひげを、外刃と内刃のせん断面まで導入するのが難しく、そのため、この種の長いひげを切断しにくい点に問題があった。
【０００５】
本発明の目的は、せん断部と熱切断部とを備えていて、あらゆる長さと、あらゆる状態の体毛を効果的に切断することができ、従って、従来の体毛処理装置に比べて高度の体毛切断機能を発揮できる体毛処理装置を提供することにある。
【課題を解決するための手段】
【０００６】
本発明に係る体毛処理装置は、本体ケース１の一端に体毛処理ヘッド２を配置し、体毛処理ヘッド２に、せん断作用で体毛を切断するせん断部１４と、熱切断作用で体毛を切断する熱切断部１５とが設けてあることを特徴とする。
【０００７】
熱切断部１５は、体毛処理ヘッド２のヘッドフレーム１０で、ヘッドフレーム１０から突出する第１位置（図３（ａ）の状態）と、第１位置よりヘッドフレーム１０に接近する第２位置（図３（ｂ）の状態）とに位置変更可能に支持する。第１位置における熱切断部１５の位置は、せん断部１４の位置よりヘッドフレーム１０から離反している。
【０００８】
熱切断部１５はヘッドフレーム１０で、第１位置と、第２位置と、第２位置よりヘッドフレーム１０に接近する第３位置（図３（ｃ）の状態）とに位置変更可能に支持する。第３位置における熱切断部１５の位置は、せん断部１４の位置よりヘッドフレーム１０に接近させる。
【０００９】
熱切断部１５に、電熱によって体毛を熱切断する切断ユニット３７を設ける。熱切断部１５が第３位置に切換えられた状態においては、切断ユニット３７への通電を遮断する。
【００１０】
熱切断部１５は、切断ユニット３７を備えた熱切断ヘッド３６を備えている。図１４に示すように、熱切断ヘッド３６はヘッドフレーム１０で往復動自在に案内支持して、ヘッドフレーム１０と熱切断ヘッド３６との間に配置したフロートばね５１でフロート支持する。
【００１１】
熱切断ヘッド３６がフロートばね５１の付勢力に抗してフロート限界位置まで変位された状態において、切断ユニット３７への通電を遮断する。
【００１２】
熱切断部１５は、ヘッドフレーム１０で第１位置と第３位置との間で位置変更可能に支持される熱切断ベース３５と、切断ユニット３７を備えた熱切断ヘッド３６とを備えている。図１に示すように、熱切断ヘッド３６は、熱切断ベース３５で往復動自在に案内支持して、熱切断ベース３５と熱切断ヘッド３６との間に配置したフロートばね５１でフロート支持する。熱切断ヘッド３６は、第１位置と第２位置のそれぞれの切換え位置において、熱切断ベース３５に対して上下フロートできるようにする。
【００１３】
体毛処理ヘッド２に、肌面へ向かって加圧空気を送給する送風ファン１６を設ける。
【００１４】
図６および図７に示すように、切断ユニット３７は、回転自在に支持される中心軸５４と、中心軸５４の周りに支持される１本の発熱線で構成した第１発熱体５６と、複数の発熱線で構成した第２発熱体５７とを含む。切断ユニット３７を、その中心軸５４の回りに回転操作して、第１発熱体５６と、第２発熱体５７とのいずれかひとつを択一的に使用姿勢に切換え操作できるようにする。
【００１５】
熱切断ヘッド３６の外面に体毛を梳き流す毛梳体５０を設ける。図１５に示すように、熱切断ヘッド３６の内部に発熱体５６を備えた切断ユニット３７と、切断ユニット３７を回転駆動するモーター７６を配置する。切断ユニット３７を回転駆動した状態で体毛を熱切断する。
【００１６】
図１６に示すように、切断ユニット３７は、中心軸５４と、中心軸５４の周囲に張出される複数の熱線ホルダー５５と、複数の熱線ホルダー５５で支持される発熱体５６とを含む。熱線ホルダー５５は、発熱体５６を緊張状態に保持するテンション体を兼ねる。
【００１７】
切断ユニット３７の中心軸５４の周囲に、体毛を起す起毛体８０を設ける（図１６参照）。
【００１８】
発熱体５６への通電状態を断続的にオン・オフして、体毛を熱切断する（図１９参照）。
【００１９】
中心軸５４の軸端の周面に接触端子６０・６１を固定する。中心軸５４の周囲外面に、前記接触端子６０・６１と摺接して発熱体５６に駆動電流を供給する固定端子６２を設けて、切断ユニット３７が回転することで発熱体５６への通電状態を機械的にオン・オフする。なお、中心軸５４には、少なくとも左右一対の１種類の接触端子６０が設けてあればよい。
【００２０】
本体ケース１および／または体毛処理ヘッド２に、熱切断ヘッド３６が人体と接触したことを検知する人体検知センサー６８を設ける。人体検知センサー６８が人体と接触したことを検知した状態においてのみ、発熱体５６に駆動電流を供給する（図１０参照）。
【００２１】
本体ケース１に切断ユニット３７の回転速度を変更する回転数調整器９１を設ける（図２４参照）。回転数調整器９１を調整操作して、切断ユニット３７の回転速度を所定の範囲内で変更できるようにする。
【００２２】
本体ケース１に発熱体５６に供給される電流値を調整する電流調整器９３を設ける。切断ユニット３７の回転速度が増加するのに応じて、電流調整器９３を調整して発熱体５６への供給電流量を増加できるようにする。
【発明の効果】
【００２３】
本発明の体毛処理装置においては、体毛処理ヘッド２にせん断部１４と熱切断部１５を設けるので、せん断部１４のせん断作用と熱切断部１５の熱切断作用とによって、短毛、長毛、むだ毛、長い髪などの体毛を、体毛の状態に応じて効果的に切断することができる。従って、従来装置に比べて高度の体毛切断機能を発揮できる体毛処理装置を提供できる。また、本発明の体毛処理装置でひげを剃る場合には、長いひげを熱切断部１５で効果的に切断したのち、短くなったひげをせん断部１４で迅速に切断できるので、長いひげをせん断部１４で徐々に切断する場合に比べて、効率よくひげ切断を行なうことができる。熱切断部１５を併用することにより、せん断部１４の切断負荷を大幅に軽減できるので、せん断部１４を構成する部品の摩耗や消耗を抑止して寿命を向上できる。
【００２４】
熱切断部１５を第１位置と第２位置とに位置変更可能に支持し、第１位置における熱切断部１５の位置をせん断部１４の位置よりヘッドフレーム１０から離反させる体毛処理装置によれば、せん断部１４に邪魔されることなく熱切断部１５を第１位置で使用できる。従って、熱切断部１５による長いひげや長い髪を的確にしかも効率よく切断できる。
【００２５】
さらに、熱切断部１５を第３位置へ位置変更可能とし、第３位置における熱切断部１５をせん断部１４よりヘッドフレーム１０に接近させると、熱切断部１５に邪魔されることもなく、せん断部１４を肌面にあてがって体毛、とくに短毛の切断を効果的に行える。
【００２６】
熱切断部１５を第３位置に切換えた状態において、切断ユニット３７への通電を遮断すると、せん断部１４で体毛を切断する際に、熱切断部１５によって電力が無駄に消費されるのを防止できる。また、第３位置に位置させた熱切断部１５の発熱作用を確実に停止できるので、せん断部１４で体毛を切断する際に、手指が熱切断部１５に触れることがあっても、火傷を負う心配がなく体毛処理装置の安全性を向上できる。
【００２７】
熱切断ヘッド３６をヘッドフレーム１０とフロートばね５１でフロート支持すると、熱切断ヘッド３６が肌面に強く押し当てられるとき、熱切断ヘッド３６をヘッドフレーム１０側へ移動させて、肌面に作用する圧力を緩和することができる。従って、肌面の一部が熱切断ヘッド３６の内部へ入り込んで発熱体５６に接触するのを防止し体毛処理装置の安全性を向上できる。
【００２８】
熱切断ヘッド３６がフロート限界位置まで変位した状態以降は、フロート構造で肌面に作用する圧力を緩和することができなくなり、肌面の一部が熱切断ヘッド３６の内部へ入り込んで発熱体５６に接触するおそれがある。しかし、フロート限界位置まで変位した状態において切断ユニット３７への通電を遮断すると、発熱体５６の発熱作用を停止して温度を低下できるので、肌面の一部が熱切断ヘッド３６の内部へ入込んで火傷を負うのを避けることができ、体毛処理装置の安全性をさらに向上することができる。
【００２９】
熱切断ベース３５を第１位置と第２位置に切換えた状態において、熱切断ヘッド３６を熱切断ベース３５に対して上下フロートさせると、熱切断ヘッド３６を単独で使用し、あるいはせん断部１４と併用する状態において、熱切断ヘッド３６と接触する肌面に作用する圧力を緩和できる。従って、熱切断ヘッド３６が使用可能な状態にあるときは常に、熱切断ヘッド３６を熱切断ベース３５側へ移動させて、肌面に大きな圧力が作用するのを防止し、肌面の一部が熱切断ヘッド３６の内部へ入込んで発熱体５６に接触するのを解消できる。
【００３０】
体毛処理ヘッド２に送風ファン１６を設け、送風ファン１６で加圧した空気を肌面へ向かって送給できるようにすると、肌面を加圧空気で冷却しながら熱切断ヘッド３６で体毛を切断できる。また、熱切断ヘッド３６に設けた発熱体５６によって暖められた肌面を加圧空気で冷却できるので、熱切断ヘッド３６による体毛の切断を快適に行える。
【００３１】
切断ユニット３７を中心軸５４の回りに回転操作して、第１発熱体５６と、第２発熱体５７とを択一的に使用姿勢に切換え操作できるようにすると、体毛の状態に適合した発熱体を選択して熱切断を行うことができる。例えば、密生した剛毛を熱切断する場合には、複数の発熱線で構成した第２発熱体５７で熱切断し、細くて長い髪を切断する場合には、１本の発熱線で構成した第１発熱体５６で熱切断する。第１発熱体５６と第２発熱体５７の特性の違いは、発熱温度以外に、熱容量の違い、あるいは冷却特性の違いなどであってもよい。
【００３２】
切断ユニット３７を回転駆動した状態で体毛を熱切断する体毛処理装置によれば、切断ユニット３７が一回転するごとに発熱体５６が肌面に接近して体毛を熱切断でき、しかも、発熱体５６は体毛を熱切断するのと同時に肌面から離れる。そのため、発熱体５６が肌面と正対した状態のままで体毛を熱切断する場合に比べて、肌面が発熱体５６の熱に晒される時間を短くでき、従って肌面が熱くなるのを確実に防止して、より快適に体毛を熱切断できる。
【００３３】
中心軸５４と、複数の熱線ホルダー５５と、発熱体５６を含む切断ユニット３７において、熱線ホルダー５５の弾性を利用して発熱体５６を緊張状態に保持すると、別途テンション体を設ける必要がないので、その分だけ切断ユニット３７の構造を簡素化できる。また、テンション体を省略できる分だけ切断ユニット３７の製造に要するコストを削減できるうえ、テンション体を設けた場合に避けられない、テンション体による無駄な電力の消費を解消できる。
【００３４】
切断ユニット３７の中心軸５４の周囲に起毛体８０を設けると、肌面に沿って倒れこんだ体毛やくせ毛を起毛体８０で強制的に起毛して、体毛の熱切断をさらに効果的に行うことができる。また、熱切断された体毛を起毛体８０で跳ね飛ばして、熱切断された体毛が熱切断ヘッド３６の内部へ入込むのをよく防止できる。
【００３５】
切断ユニット３７を回転駆動しながら体毛を熱切断する体毛処理装置において、発熱体５６への通電状態を断続的にオン・オフすると、発熱体５６に駆動電流が連続して供給される場合に比べて、熱切断部１５における消費電力量を減少できる。また、通電状態を断続的にオン・オフすることにより、発熱体５６が過熱するのを防止しながら適温に保持した状態で体毛を熱切断できる。
【００３６】
中心軸５４の軸端の周面に接触端子６０・６１を固定しておき、切断ユニット３７が回転することを利用して発熱体５６への通電状態を機械的にオン・オフすると、通電状態を断続的に変化させる給電構造を簡素化して低コスト化できる。
【００３７】
体毛処理装置に人体検知センサー６８を設け、人体検知センサー６８が人体と接触したことを検知した状態においてのみ発熱体５６に駆動電流を供給すると、熱切断ヘッド３６が肌面から離れるのに応じて発熱体５６の発熱を停止できる。従って、発熱体５６による消費電力量を減少して、電池３が無駄に消耗されるのを解消できる。また、体毛を熱切断する際に、台上に載置した体毛処理装置の熱切断ヘッド３６に手指が触れることがあっても、発熱体５６の熱で火傷するのを防止できる。
【００３８】
回転数調整器９１を調整操作して、切断ユニット３７の回転速度を所定の範囲内で変更できるようにすると、切断ユニット３７の駆動回転数を使用者の好みの回転数に調整することができる。あるいは、体毛の太さや硬さ、あるいは体毛の密度などに応じて切断ユニット３７の駆動回転数を調整することにより、発熱体５６による熱切断条件を種々に変更して体毛の熱切断を的確に行うことができる。
【００３９】
切断ユニット３７の回転速度が増加するのに応じて電流調整器９３を調整して、発熱体５６への供給電流量を増加すると、切断ユニット３７の駆動回転数が増加するとき、発熱体５６の温度が徐々に低下するのを補正して、発熱体５６の発熱温度を適温に維持できる。従って、切断ユニット３７の回転速度が所定の範囲内で変更される場合であっても発熱体５６の発熱温度を適温に維持して、発熱体５６による体毛の熱切断を常に好適に行える。
【図面の簡単な説明】
【００４０】
【図１】体毛処理装置の縦断側面図である。
【図２】体毛処理装置の正面図である。
【図３】熱切断部の位置変更状態を示す側面図である。
【図４】熱切断部の縦断側面図である。
【図５】体毛処理装置の平面図である。
【図６】切断ユニットの正面図である。
【図７】図６におけるＡ−Ａ線断面図である。
【図８】熱切断部の位置変更構造を示す縦断側面図である。
【図９】体毛処理装置の制御形態を概念的に示す説明図である。
【図１０】体毛処理装置を構成する各機器のタイミングチャートである。
【図１１】体毛処理装置を構成する各機器の別のタイミングチャートである。
【図１２】体毛処理装置を構成する各機器のさらに別のタイミングチャートである。
【図１３】実施例２に係る体毛処理装置の正面図である。
【図１４】実施例２に係る体毛処理装置の縦断側面図である。
【図１５】実施例２に係る体毛処理装置の縦断正面図である。
【図１６】実施例２に係る切断ユニットの斜視図である。
【図１７】実施例２に係る熱切断部の縦断側面図である。
【図１８】実施例２に係る体毛処理装置の制御形態を概念的に示す説明図である。
【図１９】実施例２に係る体毛処理装置を構成する各機器のタイミングチャートである。
【図２０】体毛処理装置を構成する各機器の別のタイミングチャートである。
【図２１】実施例３に係る体毛処理装置の縦断正面図である。
【図２２】実施例３に係る切断ユニットの斜視図である。
【図２３】実施例３に係る熱切断部の縦断側面図である。
【図２４】実施例４に係る熱切断部の回路構成を示すブロック図である。
【発明を実施するための形態】
【００４１】
（実施例１）  図１ないし図１２は、本発明に係る体毛処理装置の実施例１を示している。なお、本発明における前後、左右、上下とは、図２、図３に示す交差矢印と、各矢印の近傍に表記した前後、左右、上下の表示に従う。
【００４２】
図２において、体毛処理装置は、グリップ部を兼ねる本体ケース１と、本体ケース１の上端（一端）に配置した体毛処理ヘッド２とを備えている。本体ケース１の内部には、２個の２次電池（電池）３と制御基板４が収容され、ケースの前面にモーター５・６への通電状態をオン・オフするメインスイッチ７用の押しボタン８が配置してある。また、押しボタン８の下方には、メインスイッチ７がオン状態であるとき点灯する通電表示灯９が設けてある。図２に示すように、体毛処理ヘッド２はヘッドフレーム１０を備えており、このヘッドフレーム１０は本体ケース１で上下スライド自在に、しかも左右傾動可能に支持されて、両者１・２の間に配置した左右一対の第１フロートばね１１でフロート支持してある。なお、体毛処理ヘッド２は本体ケース１でフロート支持する必要はなく、その場合にはヘッドフレーム１０を本体ケース１と一体に形成することができる。
【００４３】
図１において、ヘッドフレーム１０には、せん断作用で体毛を切断するせん断部１４と、熱切断作用で体毛を切断する熱切断部１５とが前後に隣接する状態で設けてある。また、両者１４・１５の間には、先のモーター５・６と、肌面へ向かって加圧空気を送給する遠心式の送風ファン１６と導風路１７とが設けてある。送風ファン１６は、一方のモーター５で回転駆動され、他方のモーター６でメイン刃２０の内刃２３が回転駆動される。図１および図５に示すように、導風路１７の吹出口１８はせん断部１４と熱切断部１５との間の空間で開口されて、ヘッドフレーム１０の上開口に臨ませてあり、吹出口１８の左右幅はメイン刃２０の左右幅と同じか、それより広幅に形成してある。
【００４４】
（せん断部の構造）
せん断部１４は、メイン刃２０と、メイン刃２０の後側に配置したサブ刃２１とで構成する。メイン刃２０は、刃支持台２２と、刃支持台２２で回転自在に支持されるロータリー式の内刃２３と、網刃で構成される外刃２４とを備えており、主に短毛状のひげを切断して仕上げ剃りを行う。外刃２４は、刃支持台２２で逆Ｕ字状に保形してある。刃支持台２２は、揺動軸２５を中心にして上下揺動できるように支持され、さらに、刃支持台２２の下側に配置したキックばねからなる第２フロートばね２６でフロート支持してある。モーター６の回転動力は、ギヤトレイン２７（図２参照）を介して内刃２３へ伝動される。
【００４５】
サブ刃２１は、主に長毛状のひげを切断して粗剃りを行うために設けられており、それぞれスリット刃で構成される可動刃３０および固定刃３１とで構成する。固定刃３１はサブ刃支持台３２で支持してある。先のモーター６の回転動力を、図示していない偏心カムと振動子で往復動力に変換し、この往復動力で可動刃３０が往復駆動される。サブ刃支持台３２は、ヘッドフレーム１０で上下スライド自在に支持してあり、その下面側に配置した第３フロートばね３３でフロート支持してある。このように、メイン刃２０およびサブ刃２１のそれぞれを、第２フロートばね２６、および第３フロートばね３３でフロート支持し、さらにヘッドフレーム１０を第１フロートばね１１でフロート支持することにより、せん断部１３でひげ切断を行うときの肌当りを柔らかなものとすることができる。
【００４６】
（熱切断部の構造）
熱切断部１５は、ヘッドフレーム１０で上下に位置変更可能に支持される熱切断ベース３５と、熱切断ベース３５で支持される熱切断ヘッド３６と、熱切断ヘッド３６に設けられる切断ユニット３７を備えている。熱切断ベース３５は、左右に長い中空枠状の上側の保持枠３８と、保持枠３８の下部に設けた断面がＨ字状のスライド枠３９とを一体に備えており、保持枠３８で熱切断ヘッド３６を上下スライド自在に支持している。スライド枠３９は、ヘッドフレーム１０に設けたガイド枠４０と、前後一対のガイドピン４１とに案内されて、上下スライド可能に支持してある。
【００４７】
熱切断ベース３５を、ヘッドフレーム１０から突出する第１位置と第２位置、およびヘッドフレーム１０の側へ退入する第３位置において、それぞれ位置保持するために、熱切断ベース３５とガイド枠４０との間に節度構造を設けている。また、熱切断ベース３５を各位置に切換え操作するために、ヘッドフレーム１０の左右壁に上下に長い操作溝４３を開口し、操作溝４３の外面に熱切断ベース３５をスライド操作する操作ボタン４４を設けている（図３参照）。操作ボタン４４は、先の保持枠３８に連結してある。図１に示すように、節度構造は、スライド枠３９の下部の弾性脚４５の前後に設けた係合爪４６と、ガイド枠４０の前後壁の内面の上下３個所に設けた係合凹部４７とからなる。係合爪４６は、弾性脚４５が弾性変形することで、隣接する係合凹部４７の間の壁面を乗り越えることができる。
【００４８】
熱切断ベース３５を最上部の第１位置に切換えた状態では、図３（ａ）に示すように、熱切断ヘッド３６の上端が、メイン刃２０の上端よりも寸法ｈ１の分だけ上方に位置している。換言すると、第１位置における熱切断部１５の上端の高さ位置は、せん断部１４の上端の高さ位置よりヘッドフレーム１０から離反させて上方に位置させてある。熱切断ベース３５が第１位置にあるときの係合爪４６は、最上部に位置する係合凹部４７と係合しており、切断ユニット３７のみで長い体毛や、ひげの長毛を熱切断することができる。
【００４９】
熱切断ベース３５を第１位置から第２位置へ押し下げた状態では、図３（ｂ）に示すように、熱切断ヘッド３６の上端とメイン刃２０の上端とが同じ高さ位置にある。熱切断ベース３５が第２位置にあるときの係合爪４６は、図１に示すように上下中途部に位置する係合凹部４７と係合している。この第２位置においては、メイン刃２０とサブ刃２１と切断ユニット３７との三者が協同してひげ切断を行うことができ、ひげの長毛部分を切断ユニット３７で切断し、ひげの短毛部分および長毛をメイン刃２０とサブ刃２１とで切断できる。
【００５０】
熱切断ベース３５を第２位置からさらに押し下げて第３位置へ切換えた状態では、図３（ｃ）に示すように、熱切断ヘッド３６の上端がメイン刃２０の上端より寸法ｈ２の分だけ低い位置にある。つまり、第３位置における熱切断部１５の上端の高さ位置は、せん断部１４の上端の高さ位置よりヘッドフレーム１０に接近させて下方に位置させてある。熱切断ベース３５が第３位置にあるときの係合爪４６は、最下部に位置する係合凹部４７と係合しており、この第３位置においては、メイン刃２０とサブ刃２１のみでひげの仕上げ剃りを行うことができる。
【００５１】
熱切断ヘッド３６はトンネル断面状の中空体からなり、その半円状の上壁に体毛を導入するための導入開口４９と、体毛を梳き流す毛梳体（櫛歯）５０とが交互に形成してある（図５参照）。熱切断ヘッド３６は、熱切断ベース３５の保持枠３８で上下方向へ進出および退入自在に案内支持されており、その底面と保持枠３８の底壁との間に配置した第４フロートばね（フロートばね）５１で、フロート支持されて上方へ進出する向きに付勢してある。このように、熱切断ヘッド３６を熱切断ベース３５および第４フロートばね５１でフロート支持することにより、熱切断部１５で体毛を熱切断するときの毛梳体５０の肌当りを柔らかなものとすることができる。
【００５２】
図６および図７に示すように、切断ユニット３７は、熱切断ヘッド３６の左右壁で回転自在に支持される中心軸５４と、中心軸５４の周囲に張出される４個の熱線ホルダー５５と、熱線ホルダー５５で支持される第１発熱体（発熱体）５６、および第２発熱体（発熱体）５７と、給電構造などで構成する。熱線ホルダー５５は円板状のプレス金具からなり、その周面の３個所に固定した絶縁リング５８が中心軸５４に沿って直線列状に整列する状態で、中心軸５４に固定してある。第１発熱体５６および第２発熱体５７は、それぞれニクロム線（発熱線）で形成されて、各絶縁リング５８を介して熱線ホルダー５５に支持されている。第１発熱体５６が１本のニクロム線で構成してあるのに対し、第２発熱体５７は、第１発熱体５６と同じ抵抗値の２本のニクロム線を平行に配置して構成してある。
【００５３】
給電構造は、中心軸５４の周面の両端寄りに絶縁ボス５９を介して固定される一対の接触端子６０・６１と、両接触端子６０・６１の一方と摺接して両発熱体５６・５７に駆動電流を供給する左右一対の固定端子６２とで構成する。左右の固定端子６２はそれぞれ熱切断ヘッド３６で支持されており、その一方はスイッチを介して２次電池３の＋極に、他方は−極に接続してある。第１発熱体５６の一端は、図６において右側の接触端子６０に接続され、第１発熱体５６の他端は、図６において左側の接触端子６０に緊張ばね（テンション体）６３を介して接続してある。また、平行に配置した２本の第２発熱体５７の一端は、それぞれ図６において右側の接触端子６１に接続され、第２発熱体５７の他端は、図６において左側の接触端子６１に緊張ばね（テンション体）６４を介して接続してある。
【００５４】
中心軸５４の両軸端には、切断ユニット３７の姿勢を変更操作するための操作摘み６６が固定してある。この操作摘み６６を回転することにより、図１に示すように第１発熱体５６が導入開口４９に正対する状態と、図８に示すように第２発熱体５７が導入開口４９に正対する状態とに切換えて、切断ユニット３７の熱切断能力を異ならせることができる。第１発熱体５６が導入開口４９に正対する状態では、第１発熱体５６の抵抗値に応じて、第１発熱体５６の発熱温度を高めることができる。また、並列接続した第２発熱体５７の抵抗値は、第１発熱体５６の抵抗値の半分になり、全体の電流値は２倍になる。第２発熱体５７の２本の発熱線は、それぞれが第１発熱体５６の発熱線と抵抗値が同じであるので、第２発熱体５７の発熱線のそれぞれの温度は、第１発熱体５６の１本の発熱線の温度と同じになる。従って、消費電力は２倍となるものの、２本の発熱線で剛毛をすばやく熱切断できる。
【００５５】
先に説明したように、熱切断ベース３５は第１位置と第３位置との間で姿勢を変更できる。また、熱切断ヘッド３６は、熱切断ベース３５および第４フロートばね５１でフロート支持されて、一定範囲内で上下動できる。こうした、熱切断ベース３５、および熱切断ヘッド３６の上下位置を検出するために、図８に示すように、ガイド枠４０の前壁側の係合凹部４７のそれぞれに、係合爪４６でオン操作される３個の位置検知スイッチ（位置センサー）６７を設けている。また、熱切断ベース３５を構成する保持枠３８の前壁の上下に、熱切断ヘッド３６でオン操作されて、同ヘッド３６の上下位置を検出する人体検知スイッチ（人体検知センサー）６８と、フロート限界スイッチ（フロート限界センサー）６９を設けている。ヘッドフレーム１０の前壁の上下には、熱切断ベース３５の上下位置に対応して点灯する３個の位置表示灯７０が設けてある。
【００５６】
図３（ａ）に示すように、熱切断ベース３５が第１位置にある状態では、最上部の位置検知スイッチ６７が係合爪４６でオン操作されて、上部の位置表示灯７０が点灯する。同様に、熱切断ベース３５が第２位置にある状態では、上下中央の位置検知スイッチ６７が係合爪４６でオン操作されて、上下中央の位置表示灯７０が点灯する。また、熱切断ベース３５が第３位置にある状態では、下部の位置検知スイッチ６７が係合爪４６でオン操作されて、下部の位置表示灯７０が点灯する。
【００５７】
人体検知スイッチ６８は、熱切断ヘッド３６が第４フロートばね５１の付勢力に抗して押し下げられた状態において熱切断ヘッド３６でオン操作されて、毛梳体５０が人体の肌面に接触していることを検知する。フロート限界スイッチ６９は、熱切断ヘッド３６が第４フロートばね５１の付勢力に抗して、下方の限界位置まで押し下げられた状態において熱切断ヘッド３６でオン操作されて、毛梳体５０が人体の肌面に食込むおそれがあることを検知する。
【００５８】
図９に制御基板４に搭載された制御回路７１と各スイッチ７・６７・６８・６９との関係、および制御回路７１とモーター５・６、第１発熱体５６、第２発熱体５７などの負荷機器との関係、さらに制御回路７１と各表示灯９・７０との関係の概略を示している。以下、制御回路７１による各負荷機器および各表示具の駆動状態の詳細を、図１０から図１２のタイミングチャートに基づき説明する。
【００５９】
図１０は、熱切断ベース３５が最上部の第１位置に切換えられたときのタイミングチャートであり、押しボタン８が押込まれてメインスイッチ７がオンするのと同時に、送風ファン１６用のモーター５が起動される。せん断部１４用のモーター５は、停止状態を維持している。同時に、通電表示灯９と上部の位置表示灯７０とが点灯される。この状態で使用者が毛梳体５０を肌面にあてがうと、熱切断ヘッド３６が第４フロートばね５１に抗して押込まれるため、人体検知スイッチ６８がオン状態に切換わり、第１発熱体５６（または第２発熱体５７）への通電が開始される。使用者は、毛梳体５０を肌面に沿って滑らせることにより、主に長毛あるいはむだ毛を第１発熱体５６に接触させて熱切断することができる。このとき、肌面には送風ファン１６から導風路１７を介して常温の気流が吹付けられるので、第１発熱体５６の熱で肌面が熱さを感じるのを防止できる。
【００６０】
熱切断時の毛梳体５０が肌面に強く押付けられると、肌面が導入開口４９から熱切断ヘッド３６の内部に入り込んで第１発熱体５６に接触するおそれがある。このような不具合をさけるために、熱切断ヘッド３６が第４フロートバネ５１の付勢力に抗して限界位置まで押し込み操作されると、フロート限界スイッチ６９がオン状態に切換わり、オン信号を受けた制御回路７１は第１発熱体５６への通電を停止する。通電が停止された状態においても、送風ファン１６による気流の供給は継続して行われているので、第１発熱体５６の温度は急激に低下する。従って、肌面が第１発熱体５６に接触して火傷を負うのを解消できる。毛梳体５０の肌面に対する押圧力が減少すると、フロート限界スイッチ６９がオフ状態に切換わり、第１発熱体５６に対する通電が再開される。また、毛梳体５０が肌面から離れると、人体検知スイッチ６８がオフ状態に切換わるため、第１発熱体５６に対する通電が停止される。以後、上記を繰り返すことにより、長毛あるいはむだ毛の熱切断が行われる。最後に、押しボタン８を押込んでメインスイッチ７がオフ状態に切換わると、全ての部材に対する電流の供給が停止される。
【００６１】
図１１は、熱切断ベース３５が上下中央の第２位置に切換えられたときのタイミングチャートである。そこでは、押しボタン８が押込まれてメインスイッチ７がオンするのと同時に、送風ファン１６用のモーター５と、メイン刃２０およびサブ刃２１用のモーター６が同時に起動される点が、先のタイミングチャートと異なる。メインスイッチ７がオンするのと同時に、通電表示灯９と上下中央の位置表示灯７０とが点灯される。先に説明したように、第２位置においては、メイン刃２０とサブ刃２１と切断ユニット３７との三者が協同してひげ切断を行う。なお、人体検知スイッチ６８およびフロート限界スイッチ６９がオン・オフすることに伴う、第１発熱体５６に対する通電状態の制御は、図１０のタイミングチャートで説明した制御内容と同じであるので、その説明を省略する。
【００６２】
図１２は、熱切断ベース３５が最下部の第３位置に切換えられたときのタイミングチャートである。熱切断ベース３５が第３位置に切換えられた状態では、最下部に位置する位置検知スイッチ６７がオン状態に切換わる。そのため、メインスイッチ７がオン状態に切換わると、送風ファン１６用のモーター５と、メイン刃２０およびサブ刃２１用のモーター６が同時に起動されるのみで、第１発熱体５６への通電が無条件で停止される。つまり、熱切断部１５が第３位置に切換えられた状態においては、人体検知スイッチ６８のスイッチ状態とは無関係に、切断ユニット３７への通電が遮断されて、熱切断部１５が待機状態に保持される。このときの熱切断ヘッド３６の底面は、図４に示すように、ガイドピン４１の上端で受止められるので、それ以上下向きに移動することはない。メインスイッチ７がオンするのと同時に、通電表示灯９と最下部の位置表示灯７０とが点灯される。第３位置においては、メイン刃２０とサブ刃２１とが協同してひげ切断を行い、メインスイッチ７がオフ状態に切換わると、全ての部材に対する電流の供給が停止される。
【００６３】
以上のように構成した体毛処理装置によれば、体毛処理ヘッド２にせん断部１４と熱切断部１５を設けるので、ひげや体毛の状態に応じてせん断部１４と熱切断部１５を併用してひげや体毛を切断し、あるいはいずれか一方でひげや体毛を切断できる。従って、上記の体毛処理装置によれば、あらゆる長さのひげおよび体毛を効果的に切断することができ、従来の電気かみそり、あるいは体毛処理装置に比べて高度の体毛切断機能を発揮できる。
【００６４】
（実施例２）  実施例２に係る体毛処理装置を図１３ないし図１９に示している。実施例２の体毛処理装置は、メイン刃２０の構造、切断ユニット３７の構造、および人体検知センサー６８の構造などが実施例１と異なる。実施例１における送風ファン１６およびモーター５と、サブ刃２１は省略してある。図１４に示すように、メイン刃２０は、刃支持台２２と、スリット刃で構成される内刃２３と、網刃で構成される外刃２４とで構成してあり、モーター６の出力軸に固定した偏心カム７３と振動子７４とでモーター動力を往復動力に変換して内刃２３を往復駆動する（図１３参照）。刃支持台２２は、ヘッドフレーム１０および圧縮コイルばねからなる第２フロートばね２６で上下フロート自在に支持してある。
【００６５】
図１４から図１６に示すように、切断ユニット３７は、中心軸５４と、中心軸５４の両端寄りに固定した左右一対の熱線ホルダー５５と、両ホルダー５５で支持される２個の第１発熱体（発熱体）５６と、中心軸５４の左右中央に固定されて発熱線のたわみを規制する規制腕７５などで構成してある。切断ユニット３７の全体は、熱切断ヘッド３６の内部に収容したモーター７６の回転動力で回転駆動できるようにしてある。そのために、中心軸５４の両端を熱切断ヘッド３６の左右壁で回転自在に軸支し、モーター７６と中心軸５４との間にギヤトレイン７７を設けている。
【００６６】
熱線ホルダー５５は、中心軸５４に固定されるリング部から支持腕７８・７９を十文字状に張出して形成してあり、リング部を間に挟む一方の支持腕７８のそれぞれで第１発熱体５６を支持し、他方の支持腕７９のそれぞれで体毛を起す起毛体８０を支持している。第１発熱体５６を支持する支持腕７８は、互いに離れる向きにくせ付けされていて、それ自体が第１発熱体５６を緊張させるためのテンション体を兼ねている。従って、実施例１における緊張ばね６３・６４は省略することができる。
【００６７】
一方の第１発熱体５６は、左右一対の接触端子６０に接続してあり、他方の第１発熱体５６は、左右一対の接触端子６１に接続してある。従って、切断ユニット３７がモーター動力で回転駆動されるとき、第１発熱体５６への通電状態を機械的にオン・オフして、各第１発熱体５６に対して交互に駆動電流を供給することができる。
【００６８】
起毛体８０は、摩擦力が大きなゴムまたは軟質プラスチックを素材にして形成した、断面が三つ指状の条材からなる。図１６に示すように、規制腕７５は第１発熱体５６の回転方向上手側に配置されて、第１発熱体５６が回転方向上手側へ撓むのを規制する。規制腕７５は基本的に帯状に形成するが、その中途部を放射軸の周りに捻じることにより、腕全体を弾性変形しにくくしてある。
【００６９】
熱切断ヘッド３６は、モーター７６を収容する下ケース８１と、下ケース８１に固定される上ケース８２とで構成する。上ケース８２には、毛梳体５０が一体に形成してあり、その前後端は下ケース８１の前後壁よりも前後方向へ突出してある。熱切断ヘッド３６の全体は、ヘッドフレーム１０で上下スライド（往復動）自在に案内支持されて、両者１０・３６の間に配置したフロートばね５１でフロート支持してある。人体検知センサー６８は、本体ケース１のグリップ部に設けた左右一対のグリップ電極８４と、熱切断ヘッド３６の上端に配置した左右一対の肌電極８５とで構成してある。手がグリップ電極８４に接触し、肌電極８５が肌面に接触した状態において、先の第１発熱体５６に対して駆動電流が供給されて熱切断を行うことができる。
【００７０】
図１８に制御回路７１と、スイッチ７および人体検知センサー６８との関係、および制御回路７１とモーター６・７６、第１発熱体５６などの負荷機器との関係、さらに制御回路７１と通電表示灯９との関係の概略を示している。以下、制御回路７１による各負荷機器および各表示具の駆動状態の詳細を図１９のタイミングチャートに基づき説明する。
【００７１】
押しボタン８が押込まれてメインスイッチ７がオンするのと同時に、メイン刃２０用のモーター６が起動され、同時に通電表示灯９が点灯される。この状態で使用者が毛梳体５０を肌面にあてがうと、グリップ電極８４と肌電極８５とが人体を介して導通するので、制御回路７１は、切断ユニット３７用のモーター７６を起動し、所定時間Ｔ１が経過したのちに第１発熱体５６に対して駆動電流を供給する。このとき第１発熱体５６に対して、断続的に駆動電流を供給するので、一対の第１発熱体５６に駆動電流が連続して供給される場合に比べて、熱切断部１５における消費電力量を減少できる。また、切断ユニット３７用のモーター７６が起動して所定時間Ｔ１が経過したのちに、第１発熱体５６に対して駆動電流を供給するので、回転しながら風を受けている第１発熱体５６を発熱させることができ、第１発熱体５６の温度が急激に上昇するのを防止できる。
【００７２】
上記のように、回転駆動しながら熱切断を行う切断ユニット３７の場合には、使用時における第１発熱体５６の温度を、回転駆動しない形態の切断ユニットの第１発熱体と同じ温度にするために、第１発熱体５６の発熱温度が高く設定してある。そのため、切断ユニット３７用のモーター７６を起動するのと同時、あるいはモーター７６の起動に先行して第１発熱体５６に駆動電流を供給すると、第１発熱体５６が必要以上に加熱されて、熱線の強度が極端に低下する。こうした不具合を解消し、熱線の強度が低下した状態で熱切断が行われるのを防ぐために、モーター７６が起動して所定時間Ｔ１が経過したのちに、第１発熱体５６を発熱させている。
【００７３】
グリップ電極８４と肌電極８５とのいずれか一方が手あるいは肌面から離れても、所定時間Ｔ２が経過するまでは、モーター７６を引続き駆動し、第１発熱体５６を発熱状態に保持し続ける。ただし、第１発熱体５６に供給される駆動電流値を小さくして、消費電力を抑制した状態で発熱させる。これは、肌電極８５が肌面から離れるごとに、モーター７６および第１発熱体５６の駆動が停止されるのを防止して、モーター７６および第１発熱体５６が再起動されるときの負荷を軽減するためである。所定時間Ｔ２が経過したのちは、モーター７６および第１発熱体５６への通電が停止される。再度、グリップ電極８４と肌電極８５とが人体を介して導通すると、第１発熱体５６と、モーター７６への通電が再開される。最後に、押しボタン８を押込んでメインスイッチ７がオフ状態に切換わると、全ての部材に対する電流の供給が停止される。上記以外は実施例１の体毛処理装置と同じであるので、同じ部材に同じ符号を付してその説明を省略する。
【００７４】
以上のように、切断ユニット３７を回転駆動しながら熱切断を行う体毛処理装置によれば、各第１発熱体５６がひげや体毛を切断するのと同時に肌面から離れるので、第１発熱体５６の熱で肌面が熱さを感じるのをさらに確実に防止できる。また、一対の第１発熱体５６に断続的に駆動電流を供給しながら熱切断を行うので、第１発熱体５６の発熱温度が不必要に高くなるのを防止しながら体毛を熱切断できるので、体毛処理装置によるひげや体毛の熱切断を快適に行える。
【００７５】
上記の実施例２に係る体毛処理装置は、以下の形態で実施することができる。
１）熱切断ヘッド３６の外面に体毛を梳き流す毛梳体５０を設け、熱切断ヘッド３６の内部に発熱体５６を備えた切断ユニット３７と、切断ユニット３７を回転駆動するモーター７６とを配置する。切断ユニット３７を回転駆動した状態で体毛を熱切断する。
２）切断ユニット３７の中心軸５４の周囲に、体毛を起す起毛体８０を設ける。
３）発熱体５６への通電状態を断続的にオン・オフして体毛を熱切断する。
４）中心軸５４の軸端の周面に接触端子６０・６１を固定する。中心軸５４の周囲外面に、接触端子６０・６１と摺接して発熱体５６に駆動電流を供給する固定端子６２を設ける。切断ユニット３７が回転することで発熱体５６への通電状態を機械的にオン・オフする。
５）本体ケース１および／または体毛処理ヘッド２に、熱切断ヘッド３６が人体と接触したことを検知する人体検知センサー６８を設ける。人体検知センサー６８が、人体と接触したことを検知した状態において、発熱体５６に駆動電流を供給する。
【００７６】
図２０は、実施例２における人体検知センサー６８を省略した場合の、制御回路７１による各負荷機器および各表示具の駆動状態の詳細を示すタイミングチャートである。その場合には、メインスイッチ７がオンするのと同時に、メイン刃２０用のモーター６と切断ユニット３７用のモーター７６とが起動され、同時に通電表示灯９が点灯される。そして、所定時間Ｔ１が経過したのちに、第１発熱体５６に対して駆動電流を供給して、回転しながら風を受けている第１発熱体５６を発熱させて、実施例２と同様に第１発熱体５６の温度が急激に上昇するのを防止する。
【００７７】
また、メインスイッチ７がオフ状態に切換わってから所定時間Ｔ２が経過するまでは、モーター７６を引続き駆動し、第１発熱体５６を発熱状態に保持し続ける。ただし、第１発熱体５６に供給される駆動電流値を小さくして、消費電力を抑制した状態で発熱させる。これは、メインスイッチ７がオンオフされるごとに、モーター７６および第１発熱体５６の駆動が停止されるのを防止して、モーター７６および第１発熱体５６が再起動されるときの負荷を軽減するためである。
【００７８】
実施例２および図２０で説明した体毛処理装置は、以下の形態で実施することができる。
１）切断ユニット３７用のモーター７６の起動後、所定時間Ｔ１が経過したのちに、発熱体５６に駆動電流を供給する。
２）メインスイッチ７および人体検知センサー６８がオフ状態に切換わってのち、所定時間Ｔ２が経過するまでの間、切断ユニット３７用のモーター７６と第１発熱体５６への通電状態を維持し続ける。
３）所定時間Ｔ２が経過する間に第１発熱体５６に供給される駆動電流が、使用状態において第１発熱体５６に供給される駆動電流より小さく設定されて、第１発熱体５６の消費電力を抑制した状態で発熱させる。
【００７９】
上記の実施形態１）によれば、切断ユニット３７用のモーター７６が起動されて、所定時間Ｔ１が経過したのちに、第１発熱体５６に対して駆動電流を供給するので、回転しながら風を受けている第１発熱体５６を発熱させることができ、従って、第１発熱体５６の温度が急激に上昇するのを防止する。また、第１発熱体５６が必要以上に加熱されて、熱線の強度が極端に低下するのを解消し、熱線の強度が低下した状態で熱切断が行われるのを防止できる。
【００８０】
上記の実施形態２）によれば、人体検知センサー６８がオフ状態に切換わった場合に、所定時間Ｔ２が経過するまでの間、切断ユニット３７用のモーター７６と第１発熱体５６への通電状態を維持し続ける。従って、人体検知センサー６８がオフ状態に切換わるごとに、モーター７６および第１発熱体５６の駆動が停止されるのを防止して、モーター７６および第１発熱体５６が再起動されるときの負荷を軽減できる。
【００８１】
上記の実施形態３）によれば、人体検知センサー６８がオフ状態に切換わったのち、所定時間Ｔ２が経過する間、つまり、待機状態における第１発熱体５６の消費電力を抑制しながら発熱状態を維持できる。また、モーター７６および第１発熱体５６が再起動されるときの負荷を軽減できるので、全体として電池３の消耗度を低減できる。
【００８２】
（実施例３）  実施例３に係る体毛処理装置を図２１ないし図２３に示している。実施例３の体毛処理装置は、実施例２の体毛処理装置と同様に、切断ユニット３７を回転駆動しながら熱切断を行うものであり、切断ユニット３７の構造、および人体検知センサー６８の構造などが実施例１、および実施例２と異なる。切断ユニット３７は、中心軸５４と、中心軸５４の中央および両端寄りに固定した３個の熱線ホルダー５５と、両ホルダー５５で支持される２個の第１発熱体（発熱体）５６と、起毛体８０などで構成する。熱線ホルダー５５は、実施例１の熱線ホルダーと同様に円板状に形成してあり、その対向周面に一対の第１発熱体５６を配置し、一対の第１発熱体５６と直交する熱線ホルダー５５の対向周面に起毛体８０が配置してある。人体検知センサー６８は、非接触式の超音波型の近接センサーで構成してあり、放射した超音波が肌面で反射して戻ってくるまでの時間から切断ユニット３７が肌面に接触しているか否かを判定する。他は実施例１および実施例２の体毛処理装置と同じであるので、同じ部材に同じ符号を付してその説明を省略する。
【００８３】
上記の実施例３に係る体毛処理装置は、以下の形態で実施することができる。
１）切断ユニット３７は、中心軸５４と、中心軸５４に固定される円盤状の複数の熱線ホルダー５５と、複数の熱線ホルダー５５で支持される発熱体５６と、起毛体８０を含む。
２）人体検知センサー６８は、非接触式の超音波型の近接センサーで構成する。
【００８４】
実施例２および実施例３では、切断ユニット３７をモーター７６で一定の駆動回転数で回転駆動することを想定した。しかし、必要があれば、切断ユニット３７の回転速度を所定の範囲内で変更することができる。その場合には、図２４の実施例４に示すように、モーター７６と２次電池３とを接続する給電路９０に回転数調整器９１を設けて、回転数調整器９１を使用者が調整操作することにより、切断ユニット３７の駆動回転数を好みの回転数に変更することができる。回転数調整器９１としては可変抵抗器を適用することができ、回転数調整器９１を調整操作することにより、例えば５０〜３００ｒｐｍの範囲内で切断ユニット３７の駆動回転数を変更することができる。
【００８５】
切断ユニット３７の駆動回転数を増加すると、第１発熱体５６の温度が徐々に低下する傾向がある。このような第１発熱体５６の温度低下を防ぐために、第１発熱体５６と２次電池３とを接続する給電路９２に電流調整器９３を設けて、切断ユニット３７の回転速度が増加するのに応じて、発熱体５６への供給電力量を増加することができる。電流調整器９３としては可変抵抗器を適用することができる。回転数調整器９１が使用者によって操作された場合には、回転数調整器９１の調整信号を制御回路７１に入力し、入力信号に応じて制御回路７１から出力される指令信号に応じて電流調整器９３を自動的に調整して、切断ユニット３７の回転速度が増加するのに応じて、発熱体５６への供給電流量を増加することができる。
【００８６】
上記の実施例４に係る体毛処理装置は、以下の形態で実施することができる。
１）本体ケース１に切断ユニット３７の回転速度を変更する回転数調整器９１を設ける。回転数調整器９１を調整操作して、切断ユニット３７の回転速度を所定の範囲内で変更できるようにする。
２）本体ケース１に発熱体５６に供給される電流値を調整する電流調整器９３を設ける。切断ユニット３７の回転速度が増加するのに応じて、電流調整器９３を調整して発熱体５６への供給電流量を増加できるようにする。
【００８７】
上記の実施例では、中心軸５４に絶縁ボス５９を固定し、その外面に接触端子６０・６１を固定して、中心軸５４と接触端子６０・６１を絶縁したがその必要はない。例えば、ステンレス材で中心軸５４を形成し、その外面に絶縁皮膜処理を施した後、接触端子６０・６１を中心軸５４に固定して、中心軸５４と接触端子６０・６１を絶縁することができる。また、上記の実施例では、熱切断部１５をヘッドフレーム１０で上下スライド可能に支持して、第１位置と第３位置との間で上下に位置切換え可能としたが、その必要はなく、熱切断部１５をヘッドフレーム１０に対して揺動または回動させて、位置切換え可能とすることができる。
【００８８】
体毛処理ヘッド２には複数個の熱切断部１５を設けることができる。例えば、せん断部１４を前後に挟む状態で２個の熱切断部１５を体毛処理ヘッド２の前後に配置することができる。メイン刃２０は、図１４に示す往復動式の内刃２３の刃面に、切刃と交差する複数の細いワイヤーを配置する形態のメイン刃、つまり、外刃を省略したメイン刃であってもよい。発熱体５６・５７は、ニクロム線以外に、Ｆｅ、Ｃｒ、Ａｌの合金からなるカンタル発熱線、Ｆｅ、Ｃｒ、Ｎｉの合金からなるクロタル発熱線、あるいはステンレス細管の内部に発熱線と絶縁材とが封入してある発熱体などを適用することができる。発熱体５６・５７は中心軸５４の中心軸線と平行に配置する必要はなく、中心軸線に対して傾斜する状態で配置することができる。送風ファン１６の吸込み口を導風路１７に接続して、熱切断時に避けられない体毛が焼ける臭いを送風ファン１６で吸引し、消臭処理したのち体毛処理装置の外へ吹出すことができる。
【符号の説明】
【００８９】
１  本体ケース
２  体毛処理ヘッド
５  送風ファン用のモーター
６  メイン刃用のモーター
１０  ヘッドフレーム
１４  せん断部
１５  熱切断部
１６  送風ファン
２０  メイン刃
３５  熱切断ベース
３６  熱切断ヘッド
３７  切断ユニット
５４  中心軸
５５  熱線ホルダー
５６  第１発熱体（発熱体）
６７  位置検知センサー（位置検知スイッチ）
６８  人体検知センサー（人体検知スイッチ）
６９  フロート限界センサー（フロート限界スイッチ）
【図１】
0005791457.tif 000002
【図２】
0005791457.tif 000003
【図３】
0005791457.tif 000004
【図４】
0005791457.tif 000005
【図５】
0005791457.tif 000006
【図６】
0005791457.tif 000007
【図７】
0005791457.tif 000008
【図８】
0005791457.tif 000009
【図９】
0005791457.tif 000010
【図１０】
0005791457.tif 000011
【図１１】
0005791457.tif 000012
【図１２】
0005791457.tif 000013
【図１３】
0005791457.tif 000014
【図１４】
0005791457.tif 000015
【図１５】
0005791457.tif 000016
【図１６】
0005791457.tif 000017
【図１７】
0005791457.tif 000018
【図１８】
0005791457.tif 000019
【図１９】
0005791457.tif 000020
【図２０】
0005791457.tif 000021
【図２１】
0005791457.tif 000022
【図２２】
0005791457.tif 000023
【図２３】
0005791457.tif 000024
【図２４】
0005791457.tif 000025